(57)【特許請求の範囲】
【請求項１】
押鍵に連動するジャックがバットの押上げ面を押し上げて揺動部材にヒッティング動作をさせるアップライトピアノ型アクションにおいて、
往復回動する上記揺動部材が、押鍵時に向かう側を前方、離鍵時に向かう側を後方とし、
上記バットの押上げ面は、上記ジャックによる押し上げを受ける領域として、前方側に位置し水平面に対する傾斜角の小さい平坦部と、後方側に位置し水平面に対する傾斜角の大きい斜行受圧部とを備え、上記平坦部及び斜行受圧部は相互間に鈍角をなす脱進部を形成しており、
上記脱進部は、押鍵の進行段階におけるジャックとレギュレーティング部材との当接による回動開始直後のジャック位置に対応して設けられており、
上記斜行受圧部は、上記揺動部材によるヒッティングが行なわれない程度の低速でフルストロークの押鍵を行なったときに、ジャックがバットの押し上げを継続すると共に、フルストローク位置から鍵を戻し始める段階において、バットが後方への回動を伴ってジャックとの接触位置を保つように傾斜角が決められている
ことを特徴とするアップライトピアノ型アクション。
【請求項２】
上記バットが、木材、プラスチック、金属、またはこれらの２以上の組み合わせにより形成されたバット本体を備えており、上記押上げ面における平坦部及び斜行受圧部が、上記バット本体の輪郭形状に基づいて形成されており、該輪郭形状部分がバットスキンにより覆われていることを特徴とする請求項１に記載のアップライトピアノ型アクション。
【発明の詳細な説明】
【技術分野】
【０００１】
本発明は、アップライトピアノアクション及びこれと同タイプのアクションを含む、アップライトピアノ型アクションに関する。
【背景技術】
【０００２】
従来のアップライトピアノのアクションは、ハンマによる打弦を行なわせるために、押鍵に連動するジャックがバットの押上げ面を押し上げ、バットに支持されたハンマを回動させるようになっている（例えば、特許文献１）。
【０００３】
以下の説明においては、往復回動するハンマ（または揺動部材）が、押鍵時に向かう側を前方、離鍵時に向かう側を後方と称する。
【０００４】
バットは、バットフレンジを介してセンターレールに回動自在に支持された板状部材からなるバット本体を備えており、その後方側の面をジャックにより押し上げられて回動する。バットの押上げ面は、バットスキンが覆っており、バット本体とバットスキンとの間には、アンダークロスとアンダーフェルトが次のようにして、押し上げ方向に並んだ状態で挟持されている。
【０００５】
すなわち、非押鍵状態において、バットの下端面は水平乃至後方へ僅かに下降しており、そこにアンダークロスが貼着されている。バットはその下端面の後方側の端部から後方へ上昇する傾斜面を有しており、その傾斜面にアンダーフェルトが貼着されている。傾斜面は、アンダーフェルトで覆われない上部面へと続き、その上部面はアンダーフェルトの厚さ分の段差を経てアンダーフェルトの表面にほぼ連続するように延びる。そして、バットスキンは、アンダークロス及びアンダーフェルトを覆い、その上の上部面には直貼りされている。
【０００６】
ジャックは、ジャックフレンジを介してウイペンに回動自在に支持されており、押鍵時にウイペンと共に押し上げられる。そして、或る程度上昇した位置でジャックは、後方側の突出部がレギュレーティングボタンに当接することにより、後方側へ回動し始め、最終的な上昇端付近で、ハンマにエスケープメントの動作を生じさせる。すなわち、ジャックは、レギュレーティングボタンへの当接により後方側へ回動し始めて、ジャック先端部がバットに接触しながらそれる方向に移動して押し上げ力を急に弱め、これにより演奏者に押鍵抵抗が急激に低下する脱進感を与える。さらに、ジャックは、後方側への回動の進行により上昇端付近でバットの押し上げ機能を失い、これに伴ってハンマはエスケープメント動作、すなわち、慣性力のみで打弦地点まで回動する動作を行なう。このエスケープメントにより、ハンマは打弦時の反力で後方側へ戻る自由を有することになる。
【０００７】
バットは、ジャックのこの動作に対応した構造となっている。バットにおけるアンダークロス貼りの領域は、押鍵によりジャックが上昇してからレギュレーティングボタンに当接するまでの間に、ジャック先端部が接触する領域に対応している。また、アンダーフェルト貼りの領域は、ジャックがレギュレーティングボタンに当接して回動し始めてからジャック先端部が押し上げ機能を失う動作をする領域に対応している。そして、バット本体にバットスキンが直貼りされている領域では、押し上げ機能を失ったジャックの先端部が接触する。
【０００８】
バットにおけるこの構成は、次のように作用する。アンダークロスは、ジャックの上昇開始直後に接触する領域に設けられることにより、ジャック当接時の緩衝の役割をなす。また、アンダーフェルトは、フェルトの可撓性によりジャック先端を食い込み易くしており、ジャックは食い込み状態で上昇することにより、バットの押し上げ機能を奏する。その結果、フルストローク位置から少し鍵を戻し、ジャック先端がアンダーフェルト貼り領域の中央部まで下降した状態で押鍵すれば、ジャックはバットを押し上げることができる。したがって、フルストロークから或る程度戻した押鍵位置での連打が可能である。そして、バットスキン直貼り部は、フルストローク付近まで押鍵が進行したときに、ジャックとバットとの摩擦抵抗を低減する。したがって、ジャックは、この領域へ到達することにより、抜けが良くなり、押鍵時のタッチ感を良好にする。但し、アンダーフェルト貼り領域の上部及びバットスキン直貼り領域では、ジャックが上下動を繰り返してもバットの押し上げ機能は得られない。
【先行技術文献】
【特許文献】
【０００９】
【特許文献１】実公昭６２−４３３４９号公報
【発明の概要】
【発明が解決しようとする課題】
【００１０】
前述のように、アンダークロス部分からアンダーフェルト部分への移行箇所は、傾斜角が起立方向へ変化すると共に、ジャックがレギュレーティングボタンと当接して後方へ回転し始める位置にほぼ対応しており、演奏者に脱進感を与える箇所である。この脱進感は、発音に必要な押鍵深さに到達したタッチ感を演奏者に与える上で極めて重要な役割をなす。しかしながら、従来のアップライトピアノのアクションにおいては、アンダーフェルトの柔軟性が脱進感を不明確にしており、タッチ感を損ねていた。
【００１１】
また、フルストローク後、鍵を僅かに戻しても、ジャックがアンダーフェルト貼り領域の上部またはスキン直貼り領域にある限りは、次の打弦ができない。次の打弦を可能にするためには、ジャックがアンダーフェルト領域の中央部より下方に戻るまで、鍵を戻す必要がある。その結果、深い押鍵位置での連打ができない。これは、鍵を僅かに往復動させる弱打での連打ができないことを意味する。
【００１２】
一方、グランドピアノのアクションでは、ウイペンに支持されたレペティションレバーが設けられ、ジャックはハンマの根元付近にあるハンマローラを押し上げる構造となっている。レペティションレバーは、打弦直後に、ハンマローラを下方から支持し、その間にジャックがハンマローラの真下に復帰し、次の押鍵が可能となる。したがって、深い押鍵位置での連打が可能となっている。また、連打性がレペティションレバーにより確保されるので、ジャックはレギュレーティングボタンへの当接により、回動してジャック先端部がハンマローラから離脱するようになっている。これにより、押鍵時に明確な脱進感を演奏者に与える。
【００１３】
そこで、本発明は、アップライトピアノ型アクションにおける上記問題を解決し、押鍵時における明確な脱進感及び深い押鍵位置での高い連打性を有することによりグランドピアノに匹敵するタッチ感を与えるアップライトピアノ型アクション提供することを目的とする。
【課題を解決するための手段】
【００１４】
本発明は、前記目的を達成するため、押鍵に連動するジャックがバットの押上げ面を押し上げて揺動部材にヒッティング動作をさせるアップライトピアノ型アクションにおいて、往復回動する上記揺動部材が、押鍵時に向かう側を前方、離鍵時に向かう側を後方とし、上記バットの押上げ面は、上記ジャックによる押し上げを受ける領域として、前方側に位置し水平面に対する傾斜角の小さい平坦部と、後方側に位置し水平面に対する傾斜角の大きい斜行受圧部とを備え、上記平坦部及び斜行受圧部は相互間に鈍角をなす脱進部を形成しており、上記脱進部は、押鍵の進行段階におけるジャックとレギュレーティング部材との当接による回動開始直後のジャック位置に対応して設けられており、上記斜行受圧部は、上記揺動部材によるヒッティングが行なわれない程度の低速でフルストロークの押鍵を行なったときに、ジャックがバットの押し上げを継続すると共に、フルストローク位置から鍵を戻し始める段階において、バットが後方への回動を伴ってジャックとの接触位置を保つように傾斜角が決められていることを特徴とするアップライトピアノ型アクションを提供するものである。
【００１５】
本発明に係るアップライトピアノ型アクションは、上記構成により、次の作用効果を奏する。バットの押上げ面は、水平面に対する傾斜角の小さい平坦部から鈍角をなす脱進部を経て傾斜角の大きい斜行受圧部へと移行している。また脱進部は、ジャックとレギュレーティング部材との当接による回動開始直後のジャック位置に対応して設けられている。したがって、押鍵時にジャックは、レギュレーティング部材との当接により回動して先端の接触位置が平坦部から斜行受圧部へ移動する際に、脱進部において水平面に対する傾斜角が小さい部分から大きい部分へと接触箇所を変化させる。これにより、演奏者に対し、押鍵に要する力が急激に小さくなる脱進感を明確に与えることができる。
【００１６】
また、斜行受圧部は、揺動部材によるヒッティングが行なわれない程度の低速でフルストロークの押鍵を行なったときに、ジャックがバットの押し上げを継続すると共に、フルストローク位置から鍵を戻し始めたときに、ジャックとバットとの接触位置を保ったままバットが後方側へ回動するように傾斜角が決められている。
【００１７】
したがって、ヒッティングを伴う押鍵の際には、フルストロークの押鍵により、ジャックによるバットの押し上げとその後の揺動部材のエスケープによりヒッティングが行なわれる。これに伴って、打弦またはセンシングによる発音が可能である。そして、その位置から僅かに鍵を戻せば、ジャックの後退と共に、バットはジャックとの接触位置を保って後方側へ回動するので、その位置から再び押鍵すれば、次のヒッティング及びこれに伴う発音を得ることができる。すなわち、押鍵後に僅かに鍵を戻した深い位置からの押鍵による発音が可能であり、アップライトピアノ型アクションでありながら、グランドピアノアクションの特徴である弱音での速い連打が可能となる。
【発明の効果】
【００１８】
以上のように、本発明によれば、押鍵時における明確な脱進感及び深い押鍵位置での高い連打性を有することによりグランドピアノに匹敵するタッチ感を与えるアップライトピアノ型アクション提供することができる。
【図面の簡単な説明】
【００１９】
【図１】本発明の一実施形態に係るアップライトピアノ型アクションについて、非押鍵状態を示す縦断側面図である。
【図２】図１に示したアップライトピアノ型アクションについて、押鍵初期段階を示す縦断側面図である。
【図３】図１に示したアップライトピアノ型アクションについて、押鍵が進行した段階を示す縦断側面図である。
【図４】図１に示したアップライトピアノ型アクションについて、押鍵がさらに進行した段階を示す縦断側面図である。
【図５】図１に示したアップライトピアノ型アクションの要部を示す側面図である。
【図６】図１に示したアップライトピアノ型アクションの要部構成の説明図である。
【図７】図１に示したアップライトピアノ型アクションの要部構成の説明図である。
【図８】図１に示したアップライトピアノ型アクションの要部構成の説明図である。
【発明を実施するための形態】
【００２０】
以下、本発明の一実施形態について添付図面を参照しつつ説明する。図面中の同一又は同種の部分については、同じ番号を付して説明を省略することがある。
【００２１】
図１は、本発明の一実施形態に係るアップライトピアノ型アクションを示す側面図である。図は、アクションにおける高音寄りの１鍵分を取り出して示している。
【００２２】
図示のアクションは、アコースティックピアノであるアップライトピアノ用のものであり、ハンマが弦Ｓを打つようになっており、弦の振動が響板に伝えられて楽音が発せられる。アクションがアップライト型の電子ピアノ用のものである場合は、弦Ｓは金属板等のストッパ部材に置き換えられ、ハンマはストッパ部材をヒットする揺動部材に置き換えられ、発音はヒット直前の揺動部材の回動速度等を検知して、その速度に応じた大きさで行なわれる。
【００２３】
以下では、図示のアップライトピアノ用アクションの例に基づいて、本発明を説明する。このアクションは、以下に述べる通常の基本形態を有している。すなわち、アクション全体の間口方向に延びるセンタレール２０が両端部にて、図示しないブラケットに支持されており、センタレール２０の下部には、各鍵毎に、ウイペンフレンジ３１が取り付けられ、その軸３１ａを介して、ウイペン３０が回動自在に支持されている。ウイペン３０は、前端近くをウイペンフレンジ３１により支持され、ほぼ水平に延びている。ウイペン３０の後方寄りの下面からはウイペンヒール３２が垂下しており、鍵の端部付近に設けられた図示しないキャプスタンボタンが押鍵時に上昇してウイペンヒール３２を押し上げ、ウイペン３０を上方へ回動させる。
【００２４】
ウイペン３０の中央部よりやや後方には、ジャックフレンジ４１を介してジャック４０が回動自在に結合されている。ジャック４０は、長片４２と短片４３とで構成され側面視Ｌ字状をなしている。長片４２は、やや前方に傾斜して上方に延び、後述するバットに接触している。短片４３は長片４２の下端部から後方へ延びており、短片４３とウイペン３０との間に挿入された圧縮コイルばね３３は、短片４３を上方へ押し上げ、ジャック４０を回動するように付勢している。
【００２５】
センタレール２０の上部には、鍵毎に、バットフレンジ５１が取り付けられ、バットフレンジ５１の軸５１ａを介してバット５０が回動自在に支持されている。バット５０の上部からは、ハンマシャンク７１が延び、その先端にハンマ７０が結合されている。また、バット５０の後部には、打弦後の戻りを規制されるキャッチャ５２が結合されている。ハンマシャンク７１の後方には、ハンマレール１１０が位置している。ハンマレール１１０は、アクション全体の間口方向に延び、ハンマレールヒンジ１１１を介して両端部を図示しないブラケットに支持され、前後方向に回動自在となっている。ハンマレール１１０のハンマシャンク側の面にはハンマレールフェルト１１２が接着され、その反対側に係合片１１３が取り付けられている。非押鍵状態において、ハンマレール１１０が図示の後方位置にあり、ハンマシャンク７１はハンマレールフェルト１１２上に支持されている。図示しないペダルアッセンブリからソフトペダル突上げ棒Ｂが上方へ延び、その先端部が係合片１１３に係合している。演奏者がソフトペダルを踏むと、ソフトペダル突上げ棒Ｂが上昇し、係合片１１３を介してハンマレール１１０が弦側へ回動する。これは、ハンマ７０を弦に接近させ、弱音での演奏を可能とするためである。
【００２６】
ウイペン３０の後端部近くには、上方へ延びるバックチェックワイヤ８１によりバックチェック８０が取り付けられている。バックチェック８０は打弦をしたハンマ７０が反発力で後方へ戻るのを規制する機能をなす。
センタレール２０の上端部には、鍵毎に、前方へ延びるダンパレバーフレンジ９１を介してダンパレバー９０が回動自在に支持されている。ダンパレバー９０には、上方へ延びるダンパワイヤ９２等を経てダンパフェルト９３が結合されている。ダンパフェルト９３は、ダンパレバー９０の回動に従って、押鍵時に弦から離れ、離鍵時に弦に接してその振動を抑止する。
【００２７】
センタレール２０の高さ方向中央部から後方へ離間して、アクション全体の間口方向にレギュレーティングレール１０１が延びており、同じ間口方向に相互に間隔をおいて配置されたレギュレーティングブラケット１０２によりセンタレール２０に結合されている。レギュレーティングレール１０１には、鍵毎に、レギュレーティングスクリュー１０３が上下方向に螺合され、その下部にレギュレーティングボタン１００
が固定されている。レギュレーティングボタン１００は、押鍵時にジャック４０が上昇する途中でジャックの短片４３に当接し、ジャック４０を後方へ回動させる機能を奏する。
【００２８】
アクションの基本構成の概略は以上の通りであり、本発明の機能に直接関係しない構成については説明を省略する。
【００２９】
次に本発明の特徴をなす構成について説明する。図５は、図１に示したアクションについて、バット５０を中心にした要部を示す側面図である。
【００３０】
図示のバット５０は、従来技術の項で説明したアンダークロス、アンダーフェルト、バットスキンの直貼り部に対応した領域が、その領域に連続して延びる緩衝層５４及びバットスキン５５によって覆われ、その表面が押上げ面６０となっている。バットスキン５５は、従来と同様の鹿皮バックスキンの他、人工皮革（例えば、東レ株式会社製「エクセーヌ」（商品名））とすることもできる。緩衝層５４は、例えば、クロス、フェルト、耐クリープ仕様の高分子緩衝材等とすることができ、後述する明確な脱進感を得る上で、或る程度硬質なものが望ましい。また、緩衝層５４は、バットスキン５５の種類や厚さ等によっては、省略することもできる。
【００３１】
押上げ面６０は、前方側に位置し水平面に対する傾斜角の小さい平坦部６１と、後方側に位置し水平面に対する傾斜角の大きい斜行受圧部６２とを備え、平坦部６１及び斜行受圧部６２は相互間に鈍角をなす脱進部６３を形成している。脱進部６３は、押鍵の進行段階におけるジャック４０とレギュレーティングボタン１００（レギュレーティング部材）との当接による回動開始直後のジャック先端部の位置に対応して設けられている。
【００３２】
斜行受圧部６２は、ハンマ（揺動部材）による打弦（ヒッティング）が行なわれない程度の低速でフルストロークの押鍵を行なったときに、ジャック４０がバット５０の押し上げを継続すると共に、フルストローク位置から鍵を戻し始める段階において、バット５０が後方への回動を伴ってジャック４０との接触位置を保つように傾斜角が決められている。
【００３３】
図示のアクションは、次のように作動する。図１は、非押鍵状態を示している。この状態では、ウイペン３０は最下位置にあり、ハンマシャンク７１はハンマ７０を伴って後方へ傾斜し、ハンマレール１１０のハンマレールフェルト１１２上に支持されている。ジャック４０はばね３３に短片４３を押し上げられて平坦部６１の直下に位置し、平坦部６１（図５）に隣接するバットの垂下部６４に当接している。
【００３４】
押鍵を始めた段階では、図２に示すように、ウイペン３０が上昇し、ジャック４０が平坦部６１を押し上げ、バット５０は前方へ回動してハンマ７０を前進させる。この状態を拡大したのが図５である。図５に見られるように、ジャック４０の先端部は、脱進部６３の直前に達し、ジャックの短片４３はレギュレーティングボタン１００に接し、僅かに回動し始めたところである。
【００３５】
この状態からさらに押鍵が進むと、図３に示すように、ジャック４０は、短片４３がレギュレーティングボタン１００に接触した状態で押し上げられることにより、後方へ回動し、脱進部６３を越え、斜行受圧部６２に接触した状態へ移行する。ジャック４０が脱進部６３を越える瞬間に、バット５０を押し上げる力が急に弱まり、演奏者に脱進感を与える。特に、平坦部６１から斜行受圧部６２への移行が、鈍角の脱進部６３を経る短い時間で行なわれるので、演奏者に与える脱進感は明確なものとなる。
【００３６】
良好な脱進感を得て、且つ良好な演奏性を確保するためには、脱進部６３において平坦部６１と斜行受圧部６２とがなす鈍角（開き角）は、１３５〜１４５度とするのが望ましい。その角度が、上記下限値より小さいと、ジャック４０による斜行受圧部６２へのバット回動モーメントが小さくなり、結果として深い押鍵位置での連打性が低下する。また、その角度が、上記上限値より大きいと、斜行受圧部６２から平坦部６１へのジャック４０の戻りが悪くなる。
【００３７】
押鍵がさらに進むと、ジャック４０はさらに後方へ回動し、バットの斜行受圧部６２から離脱し、フルストロークの状態となる。ジャック４０は、この状態で、上昇及び後方への回動が最大となる。一方、ハンマ７０は、慣性により進行するエスケープメントの状態となり、打弦を行なう。打弦後は、ハンマ７０が弦の反発力で後方へ急速に戻され、図４に示すように、キャッチャ５２がバックチェック８０に受け止められて、ハンマ７０の戻りが停止する。
【００３８】
このフルストロークの状態から鍵を少し戻すと、再び図３の状態に戻り、ジャック４０がバットの斜行受圧部６２に接触する。この接触状態から再び押鍵を始める場合、本件発明は次のように作用する。
【００３９】
ジャック４０の押し上げ速度は、押鍵力が強いほど大きいので、ジャック４０が平坦部６１に接触している段階で、バット５０の回動速度が大きくなる。その結果、ジャック４０が、脱進部６３から斜行受圧部６２へ移行した後、斜行受圧部６２に接触している時間（距離）は短くなる。したがって、ハンマ７０は、押鍵の浅い段階でエスケープメント状態となって打弦を行なって後方へ跳ね返され、押鍵がフルストロークに至る前の段階で、早くもキャッチャ５２がバックチェック８０に受け止められた状態となり、その直後に鍵はフルストロークに達する。このように、ハンマ７０は、フルストローク前の高さにあるバックチェック８０に受け止められる結果、後方への戻り量が大きい。これに伴って、斜行受圧部６２の傾斜は、水平に近づく（立った状態から寝た状態となる）。その結果、フルストロークから鍵を少し戻すと、ジャック４０は斜行受圧部６２の下部まで戻りやすい。したがって、この状態からであれば、再び押鍵することにより、バット５０を回動させて打弦を行なうことができる。こうして、強打での連打は、アクションの機構上、比較的容易に可能となる。
【００４０】
一方、押鍵力が弱いと、ジャック４０の押し上げ速度は小さいので、ジャック４０が平坦部６１から脱進部６３を越え、斜行受圧部６２へ移行した後に接触している時間（距離）は長くなる。したがって、ハンマ７０は、押鍵の深い段階でやっとエスケープメント状態となり、打弦を行なって後方へ戻るときには、押鍵がフルストロークに極めて接近した状態となっており、この状態で、キャッチャ５２がバックチェック８０に受け止められる。こうして、ハンマ７０は、フルストローク直前の高さにあるバックチェック８０に受け止められる結果、後方への戻り量が小さい。これに伴って、斜行受圧部６２の傾斜は、垂直に近づく（起立状態となる）。その結果、フルストロークから鍵を少し戻した際、ジャック４０は、下降しながら起立状態の斜行受圧部６２に沿って滑りながら後方へ押し戻されるおそれがある。この押し戻し状態から再び押鍵しても、バット５０を回動させて打弦を行なうことはできない。しかしながら、本発明においては、次のようにして、連打が可能となっている。
【００４１】
すなわち、斜行受圧部６２は、ハンマ７０による打弦が行なわれない程度の低速でフルストロークの押鍵（この押鍵を「静加重的押鍵」と称する）を行なったときに、ジャック４０がバット５０の押し上げを継続すると共に、フルストローク位置から鍵を戻し始める段階において、バット５０が後方への回動を伴ってジャック４０との接触位置を保つように傾斜角が決められている。このような超低速での押鍵は、前述の弱打よりもさらに押鍵速度及びバットの回動速度が遅い。したがって、フルストロークから鍵を戻し始めたときのジャック４０と斜行受圧部６２との接触点は発音を可能とするようなどのような弱打よりも上に位置する。この状態で、鍵を戻し始める段階において、バット５０が後方への回動を伴ってジャック４０との接触位置を保つように、斜行受圧部６２の傾斜角が決められている（この傾斜角を「接触保持傾斜角」と称する）。したがって、起立状態にある斜行受圧部６２の後方への回動により、ジャック４０が斜行受圧部６２を滑りながら後方へ回動するということがない。その結果、フルストロークから少し戻した状態で再び押鍵すれば、ジャック４０は斜行受圧部６２に対して滑ることなく、バット５０を回動させることができる。
【００４２】
そして、打弦が行なわれる弱打であれば、ジャック４０は上記最上位置より下で斜行受圧部６２に接することとなる。その結果、ジャック４０は、上記最上位置よりもさらに滑りを生じ難く斜行受圧部６２に接するのであり、僅かな鍵の戻し位置からの押鍵により確実に次の打弦を行なうことができる。したがって、弱打での連打が可能となり、深い押鍵位置での高い連打性が実現される。
【００４３】
上記の接触保持傾斜角は、図６に示すように、フルストロークの静加重的押鍵を行なったときのジャック４０と斜行受圧部６２との接触位置における、斜行受圧部６２の接平面６２Ｔが水平面Ｈとなす傾斜角θとして定めることができる。この場合、傾斜角θは、１５〜３３度とするのが望ましい。傾斜角θが、前記下限値より小さいと、斜行受圧部６２から平坦部６１へのジャックの戻りが悪くなり、前記上限値より大きいと、ジャックによる斜行受圧部６２へのモーメント付加率（フルストロークから少し戻して押鍵したときにジャックが斜行受圧部６２に与えるモーメント）が低下し、結果として深い押鍵位置での連打性を低下してしまう。
【００４４】
接触保持傾斜角はまた、図７に示すように、フルストロークの静加重的押鍵を行なったときのジャック４０と斜行受圧部６２との接触位置において、ジャック先端部の鉛直面内における２等分線４０ａと斜行受圧部６２の法線６２ａとのなす交差角αとして定めることができる。この場合、交差角αは、１２〜３０度とするのが望ましい。交差角αが、前記下限値より小さいと、ジャックによる斜行受圧部６２へのモーメント付加率が低下し、結果として深い押鍵位置での連打製を低下してしまい、前記上限値より大きいと、斜行受圧部６２から平坦部６１へのジャックの戻りが悪くなる。なお、この状態でジャック４０が回動方向において鉛直面に対してなす角度は、０〜２０度とされる。
【００４５】
接触保持傾斜角はまた、図８に示すように、フルストロークの静加重的押鍵を行なったときのジャック４０と斜行受圧部６２との接触位置において、ジャック先端部に丸味がある場合は、その曲面の法線４０ｂと斜行受圧部６２の法線６２ａとのなす交差角βとして定めることができる。この場合、交差角βは、１２〜３０度とするのが望ましい。交差角βが、前記下限値より小さいと、ジャックによる斜行受圧部６２へのモーメント付加率が低下し、結果として深い押鍵位置での連打性を低下してしまい、前記上限値より大きいと、斜行受圧部６２から平坦部６１へのジャックの戻りが悪くなる。なお、この場合もジャック４０が回動方向において鉛直面に対してなす角度は、０〜２０度とされる。
【００４６】
以上は、アップライトピアノ用アクションの実施形態についての説明であるが、アクションがアップライト型の電子ピアノ用のものである場合は、弦Ｓが金属板等のストッパ部材に置き換えられるので、上記説明における「弦」はストッパ部材に、「打弦」は、ストッパ部材のヒッティングに置き換えられる。ハンマは、打弦用のフェルト等を使用したものでなく、ストッパ部材のヒッティングが可能な樹脂製、ゴム製等でもよい。また、弦振動がないので、上述のダンパ機構等が不要となる。
【００４７】
以上、本発明は上記実施形態に限定されるものではなく、その趣旨を逸脱しない限りにおいて種々の変更が可能である。
【符号の説明】
【００４８】
３０：ウイペン、    ４０：ジャック、    ５０：バット、    ５５：バットスキン、    ６０：押上げ面、    ６１：平坦部、    ６２：斜行受圧部、    ６３：脱進部、    ７０：ハンマ（揺動部材）、    １００：レギュレーティングボタン（レギュレーティング部材）、    Ｓ：弦（ストッパ部材）
【図１】
0005445959.tif 000002
【図２】
0005445959.tif 000003
【図３】
0005445959.tif 000004
【図４】
0005445959.tif 000005
【図５】
0005445959.tif 000006
【図６】
0005445959.tif 000007
【図７】
0005445959.tif 000008
【図８】
0005445959.tif 000009